(57)【要約】  スキンブラシ器具は、交換式ブラシヘッド組立体の付いたハンドル部材を含む。交換式ブラシヘッド組立体は、使用にあたって器具の性能を維持するために交換されなければならない段階まで摩耗するブラシ毛部分を含む。ブラシ毛部分の近傍にＬＥＤライトが設けられ、このＬＥＤライトは、ブラシ毛組立体が交換を必要としているときにオンになるように制御される。【選択図】図１
2016538892.tif 000002
【特許請求の範囲】
【請求項１】
電動スキンブラシであって、
ハンドル部材と、
交換可能であるように取り付けられる、前記ハンドル部のヘッド部分内のブラシヘッド組立体部分であって、動作にあたってはその性能が低下する段階まで摩耗するブラシ毛部分を含むブラシヘッド組立体部分と、
前記スキンブラシ内で前記ブラシヘッド組立体の近傍に位置決めされたライトと、
前記ブラシヘッドが摩耗して交換予定であるときの前記ライトの表示動作のための制御組立体と
を備え、前記ライトが使用者の目に見える、電動スキンブラシ。
【請求項２】
前記ライトがＬＥＤライトである、請求項１に記載の器具。
【請求項３】
前記ライトの色が赤色である、請求項１に記載の器具。
【請求項４】
前記ブラシヘッド組立体の交換が、前記器具の使用回数によって判定される、請求項１に記載の器具。
【請求項５】
前記ブラシヘッド組立体の交換が、前記ブラシヘッドが使用された時間の長さによって判定される、請求項１に記載の器具。
【請求項６】
前記ブラシヘッド組立体が、内側ブラシ基部を有する内側取り外し可能部分と、外側ブラシ基部を有する外側固定部分とを含み、前記ライトが、前記内側ブラシ基部と外側ブラシ基部との間の空間を通して輝くように位置決めされる、請求項１に記載の器具。
【請求項７】
複数のライトを含む、請求項１に記載の器具。
【請求項８】
前記ライトが均等に離間される、請求項７に記載の器具。
【請求項９】
前記ライトが、前記ブラシヘッド組立体から離間されてハンドル部のヘッド部分内に位置決めされる、請求項７に記載の器具。
【請求項１０】
前記ライトがＬＥＤライトであり、前記器具が各ＬＥＤライトに関連した半透明窓を含む、請求項１に記載の器具。
【請求項１１】
前記ハンドル部のヘッド部分が半透明であり、前記ＬＥＤライトがハウジング内の選択された位置に位置決めされる、請求項１に記載の器具。
【請求項１２】
前記ライトが、前記ライトの閃光を生じさせるように制御される、請求項１に記載の器具。
【請求項１３】
前記閃光が、おおよそ５０％のオン時間で毎秒生じる、請求項１２に記載の器具。
【請求項１４】
前記閃光が、中間の完全オン時間を有して溶明時間および溶暗時間を含む、請求項１２に記載の器具。
【請求項１５】
前記ライトが、前記器具がオンにされたとき、オフにされたとき、またはその両方のときにオンにされる、請求項１に記載の器具。
【請求項１６】
前記器具が、関連する充電器基部に位置決めされたときまたはそこから取り外されたときに、前記ライトがオンにされる、請求項１に記載の器具。
【請求項１７】
電動スキンブラシ内のブラシヘッド組立体の交換のためのシステムであって、
ＲＦＩＤタグを有する交換式ブラシヘッド組立体を含む電動スキンブラシと、
前記ブラシヘッド組立体上の前記ＲＦＩＤタグの読み取りが可能でありかつ前記電動スキンブラシのための交換用ブラシヘッド組立体の情報が提供されるウェブサイトとの通信および前記ウェブサイトの表示が可能であるＲＦＩＤリーダを有するモバイル通信デバイスと
を含む、システム。
【請求項１８】
前記モバイルデバイスが、使用者が交換用ブラシヘッド組立体を注文するための機能を含む、請求項１７に記載のシステム。
【請求項１９】
前記モバイルデバイスが、スマートフォンまたはタブレットを含む、請求項１８に記載のシステム。
【発明の詳細な説明】
【技術分野】
【０００１】
[0001]本発明は一般に、電動スキンブラシに関し、より具体的には、スキンブラシのブラシ部分を交換するのに適切な時期を知らせるためのシステムに関する。
【背景技術】
【０００２】
[0002]電動スキンブラシ器具のブラシ部分は、一定期間使用すると、スキンブラシの性能を維持するために交換が必要な段階まで摩耗することがよく知られている。しかし、使用者は、ブラシ部分が摩耗したことに気付かずにスキンブラシを使用し続けることが多く、通常はスキンブラシの性能への不満を生じる結果となる。したがって、ブラシ部分を交換する必要があるときに使用者がそのことを認識するのを助けるために、様々なシステムや構成が開発されてきた。これらは、例えば、「ブラシを交換してください」といった視覚または音声による具体的な命令の使用などの、種々の指示を含む。
【０００３】
[0003]しかし、そのような特定言語による申入れは、特にその製品が国際的に販売される場合には、問題になりうる。さらに、他の技法は言語によらない具体的なアイコンを使用してきたが、「ブラシを交換してください」というメッセージまたは類似のメッセージに対して確立されたアイコンは存在しないので、それらも分かりにくいものでありうる。
【発明の概要】
【発明が解決しようとする課題】
【０００４】
[0004]したがって、言葉または特有のアイコンを使用することなしに、交換を必要とする摩耗したブラシを示すシステムが望まれる。
【課題を解決するための手段】
【０００５】
[0005]したがって、そのような電動スキンブラシが、ハンドル部材と、交換可能であるように取り付けられる、ハンドル部のヘッド部分内のブラシヘッド組立体部分であって、動作にあたってその性能が低下する段階まで摩耗するブラシ毛(bristle)部分を含むブラシヘッド組立体部分と、スキンブラシ内でブラシヘッド組立体の近傍に位置決めされるライトと、ブラシヘッドが摩耗して交換予定であるときのライトの表示動作のための制御組立体とを備え、ライトは使用者の目に見える。
【図面の簡単な説明】
【０００６】
【図１】[0006]本発明を示す、電動スキンブラシの長手方向断面図である。
【図２】[0007]図１の拡大された一部分の図である。
【図３】[0008]電動スキンブラシの上面図である。
【図４】[0009]ブラシヘッドが取り外された、図３の一部分の図である。
【図５】[00010]代替的なＬＥＤ配置を有するスキンブラシの断面図である。
【図６】[00011]複数ＬＥＤ構成を明瞭に示すために構成要素が取り除かれたスキンブラシの上面図である。
【図７】[00012]電子商取引用途での図１のシステムの使用法を示す図である。
【発明を実施するための形態】
【０００７】
[00013]図１〜３は、本発明の全体構造を例示する電動スキンブラシを全体として１０で示す。スキンブラシは、ブラシ組立体１６を含むヘッド側端部１４の付いたハンドル部分１２を具備する。示された実施形態では、ブラシ組立体は、示された実施形態ではおおよそ１１列のブラシ毛房の複数の円形列を含む内側ブラシ毛部分１８と、内側ブラシ毛部分１８を取り囲む２列のブラシ毛房を含む外側ブラシ毛部分２０とを具備する。内側ブラシ毛部分１８は所定の角度にわたって所定の振動数で前後に振動するが、外側ブラシ毛部分２０は固定されたままである。１つの実施形態では、振動数は約１７６Ｈｚであり、運動の角度は約７°である。当然ながら、これらの値は変更されてもよい。
【０００８】
[00014]図１〜３の電動スキンブラシでは、内側ブラシ組立体１６は交換可能であり、交換式ブラシヘッドとも呼ばれる。ブラシヘッドの内側ブラシ毛部分は、基部２４が取り外し可能に取り付けられるハブに係合する駆動軸２２を有するモータによって駆動される。基部２４は、内側ブラシ毛部分を保持する。シール２８が、湿気からモータを保護する。モータは、オン／オフスイッチ３０によって制御される。そのようなブラシおよびモータの構造は、米国特許第７，７８６，６２６号および米国特許第７，３８６，９０６号に示されており、それらの内容は参照により本明細書に援用される。
【０００９】
[00015]示された実施形態では、動く内側ブラシ毛部分と固定された外側ブラシ毛部分との間に空間３２が存在し、光路とも呼ばれる。プリント回路基板（ｐｒｉｎｔｅｄ  ｃｉｒｃｕｉｔ  ｂｏａｒｄ、ＰＣＢ）３４が、図示のように、ＬＥＤ３６を取り付けられて内側ブラシ毛部分の基部２４の下方に位置決めされる。ＰＣＢはまた、ハブ、ハンドル部隔壁、シール、および伝送窓の下に位置決めされる。電気的接続３９が、スキンブラシマイクロプロセッサ３７から提供される。ＬＥＤは、ＬＥＤからの光が図示のように最初に半透明の窓３８を通り、次いで内側ブラシ毛部分のための基部２４と外側ブラシ毛部分のための基部２６との間の空間３２を通り、そして内側ブラシ毛部分と外側ブラシ毛部分との間を外方に進むように取り付けられる。光路は、０．２ｍｍよりも大きくあるべきである。１つの実施形態では、複数のライトが、内側および外側のブラシ毛基部とブラシ毛部分との間でブラシ組立体の周囲を囲んで一定間隔で配置される。１つの具体例は６個のＬＥＤライトを含むが、この数は変更されてもよい。１つのＬＥＤですら、申し分ない結果を提供することができる。
【００１０】
[00016]ＬＥＤの色は、様々であってもよい。しかし、その意図は使用者に交換の必要性をはっきりと指摘することにあるので、赤色が好ましい色であるが、他の色が使用されてもよく、さらには複数の色が使用されてもよい。１つの代替的実施形態では、ブラシがまだ良好な状態にあることを示すために緑色が使用される一方で、交換される必要がある摩耗したブラシヘッドを示すために赤色が使用されうる。
【００１１】
[00017]ライト（ＬＥＤ）の照明は、ハンドル部内に配置されたプログラムされたマイクロプロセッサ３７によって制御される。光の強さも制御されうる。光が赤色である場合、軸方向（プリント回路基板に対して垂直の）強さは、３０レベルを理想として２０ｍｃｄ（ミリカンデラ）を上回るべきであることが分かっている。黄色の光の場合、５０ｍｃｄ超が使用されるべきであり、白色の光では、６０ｍｃｄ超が望ましい。他の色は、それら特有の最小軸方向強さレベルを有する。ハンドル部は通常、各ライトのための伝送窓を含み、伝送窓は、直径が少なくとも２ｍｍであるべきであり、かつ、用いられているライトの色が少なくとも３０ｍｃｄの軸方向強さで伝送されることを可能にする材料を含む。
【００１２】
[00018]１つの実施形態では、光（例えば、赤色）の存在は、即時のブラシヘッド交換の必要性を示すが、光はまた、良好な性能レベルでのブラシヘッドのさらなる使用がまだある程度可能な状態で、早めの交換の表示を提供するために使用されうる。
【００１３】
[00019]ライトは、図１に示されるように内側ブラシ毛部分と外側ブラシ毛部分との間に位置決めされることが好ましいが、他のライト位置が使用されてもよい。１つの事例では、図５に示されるように、器具自体のヘッド側端部内にＬＥＤ４６が位置決めされうる。これは、ブラシヘッド耐用寿命の終わりを示す電気のまたは電磁気の制御信号を含めて、マイクロプロセッサ５３からヘッドまたはヘッド内の別個の電池まで、電線またはリード線４９と、電気的接続部５１と、ブラシヘッド５４上またはブラシヘッド５４内の導電性のリード線５２とを必要とする。
【００１４】
[00020]別の代替形態では、ハンドル部材料の窓と同じ位置にＬＥＤが取り付けられて、伝送窓が排除されうる。ＬＥＤ封止は、窓として使用されうる。
[00021]図６に示されるさらに別の代替形態では、複数の伝送窓またはＬＥＤ６０が、ブラシ毛の外側もしくは固定された区間の周囲を囲んで設けられうるが、なおも別の代替形態は、異なるＬＥＤ実装構成を可能にする透明または半透明のプラスチック材料をヘッド区間に備えることである。
【００１５】
[00022]ＬＥＤは、閃光効果をもたらすように制御されてもよい。好ましい閃光ルーチンは、５０％のオン時間を伴う１．０秒間隔での閃光でありうる。一代替形態では、各閃光事象に対して遅いもしくは緩やかな始まりおよび／または終わりが提供され、すなわち、各閃光に対して光の溶明および／または溶暗が提供される。１つのそのような実施形態では、ライトは０．２５秒間オフにされ、次いでライトは起動されて０．２５秒間で全出力（強さ）まで強まって、０．２５秒間全出力のままでいる。次いでライトは０．２５秒間でオフまで弱まり、その後で再びループ（シーケンス）が始まる。
【００１６】
[00023]他の好ましい閃光の比率は、０．２０秒間から１０秒間までの間で変化しうる。ライトのオン時間もまた、０．２０秒間から１０秒間の間で変化しうる。１つの実施形態では非閃光式ライトが使用される場合もあり、特定の速度で徐々に消えていく。そのような構成の１つの例は、０．２５秒間から２０秒間の間の光の弱まりを含む、１．０秒間から１０分間までの間のオン時間になるであろう。特に好ましい１つの条件では、ライトは１０秒間にわたってオンであり、次いで１０秒間かけて弱まる。
【００１７】
[00024]ライトは、器具の使用に関連して制御されてもよい。１つの実施形態では、ライトは、上述のように、器具がオンにされたときにオンになり、特定の時間および態様で器具がオフにされたときに再度オンになる。しかし、充電器との間の器具の挿入または取り外しに応じてなど、他のオン／オフ時間／事象が使用されてもよい。
【００１８】
[00025]追加の特徴として、ライトがオンになったときにはブラシヘッドの交換に向けたメッセージが照らされるという旨の文書が、ヘッド部の後方などのハンドル部に含まれてもよい。また、メッセージは、ブラシヘッドがハンドル部から取り外されたときに光の存在によって交換が指示されることを使用者に気付かせ、それが使用者にブラシヘッドの交換を促すように、ブラシ組立体の駆動ハブ上に設置されてもよい。
【００１９】
[00026]次に図７を参照すると、スキンケア器具８２のためのＲＦＩＤタグ付きブラシ７０が、商業ウェブサイト７６との通信などの電子商取引活動をできるようにするための内蔵ＲＦＩＤリーダを備えたデバイスの中でも特にスマートフォンやタブレットなどのモバイルデバイス７４によって読み取り可能である。交換式ブラシヘッド上のＲＦＩＤタグは、モバイルデバイスによって読み取られると、特定のウェブサイトのＵＲＬを通してデバイスをそのウェブサイトに向かわせる。ウェブサイト７６は、交換用ブラシヘッドの購入、特定のブラシに固有の新たな皮膚治療用製剤、さらには顧客固有の製剤／ブラシ組み合わせを含む、様々な情報を含みうる。さらに、特殊化されかつ新たに開発された皮膚治療用プロトコルは、ウェブサイトから閲覧および／または購入されてもよく、プロトコルの購入は使用者のモバイルデバイス７４に直接ダウンロード可能であり、そこから器具７２内のブラシヘッド上のＲＦＩＤタグにロードされて、器具に追加の機能を提供する。
【００２０】
[00027]さらに、的を絞った宣伝用の提案が使用者の特定のモバイルデバイスに送られうるように、器具の特定の使用者を識別するために、利用追跡情報／能力が使用されうる。ウェブサイトはまた、使用者のスマートフォン、モバイルデバイス、または他の類似のデバイスに注意／通知を提供することにより、時宜を得たブラシ交換を助長することができる。
【００２１】
[00028]さらに、使用者の顔の領域を記録して、特定のブラシ用製剤を評価および勧告する皮膚治療の専門的職業および／または臨床医によってアクセス可能なウェブサイトに伝送するために、さらには遠方の臨床医が使用者の写真にアクセスして直接的な勧告を与えることができるネットワーク上のチャットに伝送するために、典型的なモバイルデバイスのカメラ機能が使用されうる。
【００２２】
[00029]ブラシヘッド上のＲＦＩＤタグはまた、特定のブラシまたは器具組み合わせのための新たに入手可能なブラシ、製剤、洗浄プロトコル、および美容技法を含む教育的な情報を提供する教育的なウェブサイトにモバイルデバイスの使用者を向かわせるのに使用されうる。
【００２３】
[00030]ＲＦＩＤタグ付きブラシおよびＲＦＩＤタグ付き製剤の両方を読み取るために、器具自体（例えば、ハンドル部分）が使用されうる。するとこの器具は、予め読み取られたブラシ／製剤に特に関連するまたはそれらに合わせられた、ＲＦＩＤタグまたはハンドル部内に存在する新たな洗浄プロトコルを開放することができる。そのようなシステムの１つの例は、足擦り洗い用製剤（ｐｅｄｉ  ｓｃｒｕｂ  ｆｏｒｍｕｌａｔｉｏｎ）および足用ブラシ部材の両方を読み取り、次いで予め定められた特定の振動数、出力レベル、および器具上のＲＦＩＤタグで得られる動作プロファイルで動作して特定の製剤に対する適切な効果を送達する、足治療デバイスである。
【００２４】
[00031]器具自体はまた、一定のまたは限られた時間にわたって器具が特定の洗浄プロトコルを稼働させられるようにする一時的な認証コードを有するＲＦＩＤタグの付いた美容用製剤を読み取るのに使用されうる。そのようなシステムは、新たな製剤／プロトコルの組み合わせの試用を提供して、その後で器具内のプロトコルを恒久的に開放するためにある量の製剤の購入を要求するために使用されうる。
【００２５】
[00032]本発明の好ましい実施形態が例示の目的で開示されたが、以下の特許請求の範囲で定義される本発明の精神から逸脱することなしに様々な変更、修正、および代用が実施形態に組み込まれうることが、理解されるべきである。
【図１】
2016538892.tif 000003
【図２】
2016538892.tif 000004
【図３】
2016538892.tif 000005
【図４】
2016538892.tif 000006
【図５】
2016538892.tif 000007
【図６】
2016538892.tif 000008
【図７】
2016538892.tif 000009
【国際調査報告】
2016538892.tif 000010